(57)【要約】【課題】   緊急時には、監視者と被監視者とが迅速に連絡を取り合うことができる呼出システムおよび呼出方法を提供する。【解決手段】  呼出サーバ１０は、移動通信交換器２２から監視者の携帯電話３０の位置情報を取得し、監視エリアを、監視者の携帯電話３１がいるセル２６の範囲に設定する。また、呼出サーバ１０は、移動通信交換器２２から被監視者の携帯電話３１の位置情報を取得し、被監視者が監視者の携帯電話３１がいるセル２６の範囲にいることを監視する。被監視者が監視者の携帯電話３１がいるセル２６の範囲が逸脱した場合は、呼出サーバ１０は、移動通信交換器２２に、監視エリアから逸脱した被監視者の携帯電話３１と監視者の携帯電話３０とへの呼出メッセージの発信と、携帯電話３０と携帯電話３１間の通話チャンネルの確立を依頼する。【選択図】      図２
2006338176.tif 000002
【特許請求の範囲】
【請求項１】
移動体通信端末を利用し、緊急時に、監視者と被監視とを呼出して、監視者と被監視者との通信を確立する呼出方法であって、前記監視者が所持する前記移動体通信端末の位置情報に基づき、定められた規則に従い監視エリアを設定し、前記被監視者が所持する前記移動体通信端末の位置情報が前記監視エリアから逸脱した場合には、前記監視者と前記被監視者とが所持する前記移動体通信端末に呼出メッセージを通知すると共に、前記監視者と前記被監視者とが所持する前記移動体通信端末間の通信を確立することを特徴とする呼出し方法。
【請求項２】
請求項１に記載の呼出方法において、前記監視者および前記被監視者とから構成されるグループを特定するグループ情報を設け、前記グループ情報ごとに、前記監視者の前記位置情報に基づいて前記監視エリアを設定し、前記被監視者が所持する前記移動体通信端末の位置情報が、前記被監視者の属する前記グループ情報で設定された前記監視エリアから逸脱した場合には、逸脱した前記被監視者と同じ前記グループ情報に属する前記監視者と、逸脱した被監視者の前記移動体通信端末とに呼出メッセージを通知し、通信を確立することを特徴とする呼出方法。
【請求項３】
請求項２に記載の呼出方法において、前記監視者は、前記監視者と同じ前記グループ情報に属する前記被監視者の中から、監視する前記被監視者を選択できることを特徴とする呼出方法。
【請求項４】
監視者と被監視者とが所持する移動体通信端末と、前記移動体通信端末を利用して前記被監視者を監視し、監視者と被監視とを呼出し、異常発生時には、監視者と被監視者との通信を確立する呼出サーバとから構成される呼出システムであって、前記呼出サーバは、前記監視者の前記移動体通信端末の位置情報を取得し、前記監視者の前記移動体通信端末の位置情報に基づいて、定められた規則に従い監視エリアを設定する監視エリア設定手段と、前記被監視者の前記移動体通信端末の位置情報を取得し、前記被監視者の前記移動体通信端末の位置情報が、前記監視エリア設定手段が設定する前記監視エリア内であることを監視する監視手段と、前記被監視者の前記移動体通信端末の位置情報が、前記監視エリア設定手段が設定する前記監視エリアから逸脱した場合には、前記監視者の前記移動体通信端末と前記被監視者の前記移動体通信端末とに呼出メッセージを通知すると共に、前記監視者の前記移動体通信端末と前記被監視者の前記移動体通信端末との通信を確立する呼出手段と、を備えることを特徴とする呼出システム。
【請求項５】
請求項４に記載の呼出システムにおいて、前記呼出サーバは、前記監視者および前記被監視者とから構成されるグループごとに、前記グループを特定するグループ情報を記憶し、前記監視エリア設定手段は、前記グループ情報ごとに、前記監視者の前記移動体通信端末の位置情報に基づいて前記監視エリアを設定し、前記監視手段は、前記被監視者の前記移動体通信端末の位置情報を監視するときは、同じ前記グループ情報の前記監視者の位置情報に基づく前記監視エリアを使用し、前記呼出手段は、前記被監視者と前記グループ情報が同じ前記監視者の前記移動体通信端末に前記呼出メッセージを通知し、通信を確立することを特徴とする呼出システム。
【請求項６】
請求項５に記載の呼出システムにおいて、前記呼出サーバは、前記監視者と同じ前記グループ情報に属する前記被監視者の中から、前記監視者が監視する前記被監視者を選択できる手段を備えていることを特徴とする呼出システム。
【請求項７】
請求項４から請求項６のいずれかに記載の呼出システムにおいて、前記移動体通信端末は携帯電話もしくはＰＨＳであって、前記監視エリア設定手段および前記監視手段は、携帯電話もしくはＰＨＳの移動通信交換器に問い合わせることで、前記携帯電話の位置情報を取得し、前記呼出手段は、前記移動通信交換器に、前記呼出メッセージの通知と、前記移動体通信端末間の通信の確立とを依頼する手段であることを特徴とする呼出システム。
【発明の詳細な説明】
【技術分野】
【０００１】
本発明は、家族やクラブ団体などのグループにおいて、緊急時に、必要な人を呼出して連絡を取り合うことのできる呼出システムおよび呼出方法に関し、更に詳しくは、携帯電話などの移動体通信端末を利用した呼出システムおよび呼出方法に関する。
【背景技術】
【０００２】
高齢化社会の到来や、子供を対象とした犯罪の増加を受けて、携帯電話に代表される移動体通信端末を用いて、子供や老人を監視する監視システムが提供されている。
【０００３】
子供や老人を監視する監視システムとして、特許文献１においては、予め監視エリアが設定され、子供や老人などの監視を必要とする被監視者がこの監視エリアから逸脱した場合には、世帯主などの監視者に警報を通知するシステムが開示されている。また、特許文献２においては、上述の機能に加え、被監視者が一定時間内に連続して位置が移動しなかったり、被監視者が予め定められたの速度以上で移動した場合に、監視者に警報を通知するシステムが開示されている。
【０００４】
しかしながら、上述した従来の技術において、監視エリアは、ある固定の場所（例えば、自宅）を基準として定められたエリアであって、監視者と被監視者とが一緒に移動しているにも関わらず、被監視者が監視エリアを逸脱すると、監視者に警報が通知されてしまったり、移動先で被監視者を監視できない問題があった。
【０００５】
また、上述した技術は、被監視者を監視し、異常発生時（例えば、監視エリアから被監視者が逸脱した場合）に警報を監視者へ通知する技術であって、異常発生時に監視者と被監視者とが速やかに連絡を取り合うことはできない問題もある。
【特許文献１】特開２００１-３２５６９２号公報
【特許文献２】特開２００２-２７５２８号公報
【発明の開示】
【発明が解決しようとする課題】
【０００６】
そこで、上述した問題を鑑みて、本発明は、家族やクラブ団体などのグループにおいて、世帯主などの監視者が、子供や老人などの監視を必要とする被監視者を監視するときに、監視者の位置に応じて、すみやかに監視エリアが変更され、かつ、緊急時には、監視者と被監視者とが迅速に連絡を取り合うことができる呼出システムおよび呼出方法を提供することを目的とする。
【課題を解決するための手段】
【０００７】
上述した課題を解決する第１の発明は、移動体通信端末を利用し、緊急時に、監視者と被監視とを呼出して、監視者と被監視者との通信を確立する呼出方法であって、前記呼出方法は、前記監視者が所持する前記移動体通信端末の位置情報に基づき、定められた規則に従い監視エリアを設定し、前記被監視者が所持する前記移動体通信端末の位置情報が前記監視エリアから逸脱した場合には、前記監視者と前記被監視者とが所持する前記移動体通信端末に呼出メッセージを通知すると共に、前記監視者と前記被監視者とが所持する前記移動体通信端末間の通信を確立することを特徴とする。
【０００８】
第１の発明によれば、監視者が所持する前記移動体通信端末の位置情報に基づいて前記監視エリアを設定することで、前記監視者が移動した場合においても、移動先に応じて監視エリアを設定できる。また、緊急時には、前記監視者と前記被監視者とが所持する前記移動体通信端末それぞれに、呼出メッセージが通知されるため、緊急時に、前記監視者が前記被監視者と連絡を取り合うための手間を省くことができる。
【０００９】
好ましくは、第１の発明において、前記監視者および前記被監視者とから構成されるグループを特定するグループ情報を設け、前記グループ情報ごとに、前記監視者の前記位置情報に基づいて前記監視エリアを設定し、前記被監視者が所持する前記移動体通信端末の位置情報が、前記被監視者の属する前記グループ情報で設定された前記監視エリアから逸脱した場合には、逸脱した前記被監視者と同じ前記グループ情報に属する前記監視者と、逸脱した被監視者の前記移動体通信端末とに呼出メッセージを通知し、通信を確立することが望ましい。更には、前記監視者は、前記監視者と同じ前記グループ情報に属する前記被監視者の中から、監視する前記被監視者を選択できることが望ましい。
【００１０】
前記監視者および前記被監視者とから構成されるグループを特定するグループ情報を設けることで、前記監視者は複数人の前記被監視者を監視できると共に、他のグループに属する被監視者が監視者の監視エリアから逸脱しても、前記監視者に誤った呼出しメッセージが通知されることはない。また、前記監視者が前記被監視者を選択できることで、前記監視者が前記被監視者と別々に行動している場合に、監視者に誤った呼出メッセージが通知されることはない。
【００１１】
更に、第１の発明において、前記移動体通信端末とは、好ましくは、携帯電話、ＰＨＳ（Personal Handy Phone）、および、無線データ通信機能を備えたＰＤＡなどを意味する。前記移動体通信端末を携帯電話とすることで、既存の無線基地局が利用できるため、前記移動体通信端末と通信する端末装置を新規に設置する必要はなくなる。
【００１２】
また、上述した課題を解決する第２の発明は、監視者と被監視者とが所持する移動体通信端末と、前記移動体通信端末を利用して前記被監視者を監視し、異常発生時には、監視者と被監視とを呼出し、監視者と被監視者との通信を確立する呼出サーバとから構成される呼出システムであって、前記呼出サーバは、前記監視者の前記移動体通信端末の位置情報を取得し、前記監視者の前記移動体通信端末の位置情報に基づいて、定められた規則に従い監視エリアを設定する監視エリア設定手段と、前記被監視者の前記移動体通信端末の位置情報を取得し、前記被監視者の前記移動体通信端末の位置情報が、前記監視エリア設定手段が設定する前記監視エリア内であることを監視する監視手段と、前記被監視者の前記移動体通信端末の位置情報が、前記監視エリア設定手段が設定する前記監視エリアから逸脱した場合には、前記監視者の前記移動体通信端末と前記被監視者の前記移動体通信端末とに呼出メッセージを通知すると共に、前記監視者の前記移動体通信端末と前記被監視者の前記移動体通信端末との通信を確立する呼出手段と、を備えることを特徴とする呼出システムである。
【００１３】
好ましくは、第２の発明において、前記呼出サーバは、前記監視者および前記被監視者とから構成されるグループごとに、前記グループを特定するグループ情報を記憶し、前記監視エリア設定手段は、前記グループ情報ごとに、前記監視者の前記移動体通信端末の位置情報に基づいて前記監視エリアを設定し、前記監視手段は、前記被監視者の前記移動体通信端末の位置情報を監視するときは、同じ前記グループ情報の前記監視者の位置情報に基づく前記監視エリアを使用し、前記呼出手段は、前記被監視者と前記グループ情報が同じ前記監視者の前記移動体通信端末に前記呼出メッセージを通知し、通信を確立することが望ましい。
【００１４】
更には、前記呼出サーバは、前記監視者と同じ前記グループ情報に属する前記被監視者の中から、前記監視者が監視する前記被監視者を選択できる手段を備えていることが望ましい。
【００１５】
更に、好ましくは、第２の発明において、前記移動体通信端末は携帯電話もしくはＰＨＳであって、前記監視エリア設定手段および前記監視手段は、携帯電話もしくはＰＨＳの移動通信交換器に問い合わせることで、前記携帯電話の位置情報を取得し、前記呼出手段は、前記移動通信交換器に、前記呼出メッセージの通知と、前記移動体通信端末間の通信の確立とを依頼する手段であることが望ましい。
【発明の効果】
【００１６】
上述した本発明によれば、家族やクラブ団体などのグループにおいて、世帯主などの監視者が、子供や老人などの監視を必要とする被監視者を監視するときに、監視者の位置に応じて、すみやかに監視エリアが変更され、かつ、緊急時には、監視者と被監視者とが迅速に連絡を取り合うことができる呼出システムおよび呼出方法を提供できる。
【発明を実施するための最良の形態】
【００１７】
＜呼出システムの説明＞
ここから、本発明に係る呼出システムについて、図を参照しながら詳細に説明する。図１は、本発明に係る呼出システムを、携帯電話の一つのサービスとして提供するシステムの構成を説明する図である。
【００１８】
図１のシステムは、監視者および被監視者が所持する移動体通信端末である携帯電話３０、３１と、無線ネットワーク２５に接続され、携帯電話３０、３１と無線で交信する無線基地局２０（Base Transceiver Station）と、無線基地局２０を管理する無線ネットワーク制御装置２１（Radio Network Controller）と、無線ネットワーク制御装置２１と接続された移動通信交換器２２（Mobile Switching Center）と、携帯電話の位置情報を管理するホームロケーションレジスタ２３（HLR: Home Location Register）とから構成される携帯電話システムに、呼出システムを携帯電話システムの一つのサービスとして提供する呼出サーバ１０を設置したシステムである。なお、今後、監視者の携帯電話３０と被監視者の携帯電話３１とを区別しないときは、符号を付けずに携帯電話と記す。
【００１９】
無線基地局２０は、監視者と被監視者が所持する携帯電話と無線で交信する機能を備え、一つの無線基地局２０が携帯電話と交信できる範囲を「セル」と呼ぶ。無線ネットワーク制御装置２１は、携帯電話の所持者が移動し、携帯電話のいるセル２６が変更された場合に、移動先の無線基地局２０に処理を受け渡すなどの無線基地局２０を制御する機能を有する。
【００２０】
移動通信交換器２２は、他のネットワーク（ここでは、公衆電話網２４）からの携帯電話への接続を制御する機能などを有し、移動通信交換器２２は、携帯電話の位置情報を管理するデータベースであるＨＬＲ２３を備える。
【００２１】
携帯電話の電源がＯＮになると、携帯電話と無線基地局２０とが交信し、携帯電話があるセルに関する情報、すなわち、携帯電話の位置情報は、無線ネットワーク制御装置２１を経由して移動通信交換器２２に送信され、移動通信交換器２２は送信された携帯電話の位置情報をＨＬＲ２３に記憶する。よって、移動通信交換器２２は、ＨＬＲ２３を参照することで、現在、携帯電話がどのセル２６にあるのか、すなわち、携帯電話がどの無線基地局２０と交信しているのかを知ることができる。
【００２２】
呼出サーバ１０は、一定時間（例えば、１５分）ごとに、移動通信交換器２２にアクセスすることで監視者および被監視者の携帯電話の位置情報を取得し、監視者の携帯電話３０の位置情報に基づいて監視エリアを設定し、被監視者の携帯電話３１がこの監視エリア内にいることを監視する。
【００２３】
本実施の形態において、移動通信交換器２２から、監視者の携帯電話３０の位置情報を取得することで、監視エリアは、監視者の携帯電話３０がいるセル２６の範囲（一般的に、半径数ｋｍ）に設定される。監視者が移動し、監視者の携帯電話３０がいるセル２６が変更されると、移動通信交換器２２から取得する監視者の携帯電話３０の位置情報も変更されるため、監視者の移動に伴い、監視エリアも変更される。なお、本実施の形態において、監視エリアは一つのセル２６の範囲に設定されるが、呼出サーバ１０は複数のセル２６の範囲から構成される監視エリアを設定してもよい。
【００２４】
そして、呼出サーバ１０は、監視者の携帯電話３０の位置情報に基づいて監視エリアを設定するごとに、監視者の携帯電話３０がいるセル２６に、被監視者の携帯電話３１もいることを監視する。すなわち、呼出サーバ１０は、監視者の携帯電話３０の位置情報と被監視者の携帯電話３１の位置情報とが同一であることを確認する。
【００２５】
そして、呼出サーバ１０は、監視者の携帯電話３０の位置情報と被監視者の携帯電話３１の位置情報とが異なったとき、すなわち、監視者の携帯電話３０のいるセル２６の範囲から、被監視者の携帯電話３１が逸脱した場合（例えば、被監視者が図１のＡ地点からＢ地点に移動した場合）は、監視者の携帯電話３０と被監視者の携帯電話３１への呼出メッセージの通知と、携帯電話３０と携帯電話３１間の通話チャンネルの確立を、移動通信交換器２２に依頼する。
【００２６】
監視者の携帯電話３０と被監視者の携帯電話３１とに送信される呼出メッセージには、被監視者が監視エリアから逸脱したことを示すメッセージが含まれ、かつ、この呼出メッセージに監視者と被監視者の双方が応答すると、監視者と被監視者間での通話が可能になり、監視者は被監視者の安否を確認できたり、正確な被監視者の位置を被監視者に問い合わせることができる。
【００２７】
図２は、図１で示した呼出システムのブロック図である。説明を分かり易く説明するために、図２では無線基地局２０を一つのみ記載している。実際の呼出システムにおいては、図１で示しているように、複数の無線基地局２０が設置されている。
【００２８】
呼出サーバ１０には、監視者と被監視者から構成されるグループを特定するグループ情報１４と、監視者の携帯電話３０の位置情報に基づいて監視エリアを設定する監視エリア設定手段１１と、被監視者の携帯電話３１の位置情報を監視する監視手段１３と、監視エリア設定手段１１が設定した監視エリアから被監視者の携帯電話３１の位置情報が逸脱した場合に、逸脱した被監視者と監視者の携帯電話への呼出メッセージの発信と、携帯電話３０と携帯電話３１間の通話チャンネルの確立を依頼する呼出手段１２とを備える。
【００２９】
グループ情報１４とは、監視者と被監視者から構成されるグループごとに区別する情報である。このグループ情報１４には、監視者の携帯電話３０の番号と、被監視者の携帯電話３１が記憶されている。呼出サーバ１０は、グループ情報１４を参照することで、監視者の携帯電話３０の番号と、被監視者の携帯電話３１を取得できるとともに、グループごとに被監視者を監視できる。よって、他のグループに属する被監視者が監視者の監視エリアに居なくても、監視者に誤った呼出メッセージが通知されることはない。
【００３０】
監視エリア設定手段１１は、一定時間ごとに移動通信交換器２２に問い合わせ、監視者の位置情報として、ＨＬＲ２３に記憶されている監視者の携帯電話３０の位置情報（例えば、監視者の携帯電話３０がいるセル２６の識別番号）を取得する。監視者の携帯電話３０の位置情報を取得することで、監視エリアは、監視者の携帯電話３０と交信している無線基地局２０のセル２６の範囲（一般的に、半径数ｋｍ）に設定される。
【００３１】
監視エリアを小さくした呼出システムを構築したいときは、監視者と被監視者が所持する移動体通信端末をＰＨＳ(Personal Handyphone System)とすれば、監視エリアを、ＰＨＳ用無線基地局のセル２６の範囲（一般的に、半径数百ｍ）に設定できる。
【００３２】
加えて、監視者および被監視者の携帯電話がＧＰＳ(Global Positioning System)の機能を備えていたり、携帯電話の電波の強弱から、セル２６の範囲内の詳細な携帯電話の位置情報を算出する技術などが用いられたりして、移動通信交換器２２が携帯電話の詳細な位置情報を記憶しているときは、監視エリア設定手段１１は、監視者の携帯電話３０の詳細な位置情報を取得し、監視者の携帯電話３０の詳細な位置情報から監視エリアを演算で求めることで、任意の形状の監視エリアを詳細に設定できる。
【００３３】
監視手段１３は、一定時間ごとに移動通信交換器２２に問い合わせ、監視者の携帯電話３０の位置情報と共に、監視者と同じグループ情報１４に属するすべての被監視者の携帯電話３１の位置情報を取得する。そして、監視エリア設定手段１１が取得した監視者の携帯電話３０の位置情報と被監視者が所持する携帯電話３１の位置情報とを比較し、位置情報が異なる場合（すなわち、監視者の携帯電話３０と交信している無線基地局２０のセル２６の範囲から、被監視者が逸脱した場合）、呼出手段１２に呼出メッセージを発信するトリガーを入力する。
【００３４】
なお、監視手段１３は、監視者が携帯電話３０を利用して呼出サーバ１０にアクセスすることで、グループ情報１４に含まれる被監視者の中から、監視する被監視者を選択できる手段を備えていることが望ましい。監視者が被監視者を選択できることで、監視者が被監視者を監視しなくてよいときに、監視者に誤った呼出メッセージが通知されることはない。
【００３５】
呼出手段１２は、監視手段１３からトリガーが入力されると、呼出手段１２は移動通信交換器２２に、監視エリアから逸脱した被監視者の携帯電話３１と、逸脱した被監視者のと同じグループ情報１４に属する監視者の携帯電話３０とに呼出メッセージの発信と、携帯電話３０と携帯電話３１間の通話チャンネルの確立を依頼する。
【００３６】
移動通信交換器２２は、呼出メッセージの発信の依頼が呼出サーバ１０からあると、監視者の携帯電話３０と被監視者の携帯電話３１との通話のチャンネルを設定した後、被監視者の携帯電話３１と監視者の携帯電話３０とに、呼出メッセージを送信する。被監視者と監視者とは、この呼出メッセージを見ることで、被監視者が監視者のいるセル２６から逸脱したことを知ること双方が確認でき、この呼出メッセージに監視者と被監視者とが応答することで、監視者と被監視者との通話が可能となる。
【００３７】
＜呼出方法の説明＞
ここから、本発明に係る呼出方法について説明する。図３は、呼出方法の手順を示したフロー図である。呼出方法の最初のステップＳ１０は、監視者が所持する移動体通信端末の位置情報を取得するステップである。図１で示した呼出システムにおいては、監視者が所持する移動体通信端末の位置情報として、呼出サーバ１０は、監視者の携帯電話３０の位置情報を移動通信交換器２２から取得する。
【００３８】
次のステップＳ１１は、ステップＳ１０で取得した監視者の移動体通信端末の位置情報に基づいて、監視エリアを設定するステップである。図１で示した呼出システムにおいては、呼出サーバ１０は、監視エリアとして監視者の携帯電話３０の位置情報を設定することで、監視エリアは、監視者の携帯電話３０と交信している無線基地局２０のセル２６の範囲に設定されたことになる。
【００３９】
次のステップＳ１２は、被監視者の移動体通信端末の位置情報を監視し、この位置情報がステップＳ１１で設定した監視エリアから逸脱していないことを確認するステップである。図１で示した呼出システムにおいては、呼出サーバ１０は被監視者の位置情報を移動通信交換器２２から取得し、監視者の携帯電話３０の位置情報と被監視者の携帯電話３１の位置情報とを比較する。
【００４０】
次のステップＳ１３は処理が分岐されるステップで、被監視者の移動体通信端末の位置情報が監視エリアから逸脱していない場合はステップＳ１０に戻り、監視エリアから逸脱している場合はステップＳ１４に進む。
【００４１】
被監視者の移動体通信端末の位置情報が監視エリアから逸脱している場合に実行されるステップＳ１４は、監視者と被監視者とが所持する移動体通信端末に、被監視者が監視エリアから逸脱したことを示す呼出メッセージを通知し、監視者と被監視者とが所持する移動体通信端末間の通信を確立するステップである。図１の呼出システムにおいては、呼出サーバ１０は、被監視者の携帯電話３１の位置情報が監視者の携帯電話３０の位置情報と異なった場合に、移動通信交換器２２に対して、監視者と被監視者との携帯電話３０への呼出メッセージの発信と、監視者の携帯電話３０と被監視者と携帯電話３１との通信チャンネルの確立を依頼する。
【図面の簡単な説明】
【００４２】
【図１】呼出システムが適用された携帯電話システムを説明する図。
【図２】呼出システムが適用された携帯電話システムのブロック図。
【図３】呼出方法の手順を示したフロー図。
【符号の説明】
【００４３】
１０  呼出サーバ
１１  監視エリア設定手段
１２  呼出手段
１３  監視手段
１４  グループ情報
２０  無線基地局
２１  無線ネットワーク制御装置
２２  移動通信交換器
２３  ホームロケーションレジスタ（HLR: Home Location Register）
２４  公衆電話網
２５  無線ネットワーク
２６  セル
３０  監視者の携帯電話
３１  被監視者の携帯電話
【図１】
2006338176.tif 000003
【図２】
2006338176.tif 000004
【図３】
2006338176.tif 000005